【手続補正書】
【提出日】平成16年9月15日(2004.9.15)
【手続補正１】
【補正対象書類名】明細書
【補正対象項目名】特許請求の範囲
【補正方法】変更
【補正の内容】
【特許請求の範囲】
【請求項１】
受信した無線データに基づいて同期、非同期を検出する同期検出部と、
該同期検出部における非同期検出が複数回連続した場合に非同期と判定する状態判定部と、
受信した無線データに含まれる送信電力制御情報を抽出する送信電力制御情報抽出部と、
前記同期検出部における同期、非同期の検出結果に応じて前記抽出された送信電力制御情報に基づく送信電力制御の実施、不実施を制御する制御部とをそなえて構成されたことを特徴とする、電力制御回路。
【請求項２】
受信した無線データに基づいて同期、非同期を検出する同期検出部と、
該同期検出部における非同期検出がＴ1回連続した場合に非同期と判定する状態判定部と、
受信した無線データに含まれる送信電力制御情報を抽出する送信電力制御情報抽出部と、
前記同期検出部における非同期の検出がＴ2（１≦Ｔ2＜Ｔl）となった場合に、前記抽出された送信電力制御情報に基づく送信電力制御を行なわないように制御する制御部とをそなえて構成されたことを特徴とする、電力制御回路。
【請求項３】
受信した無線データに基づいて同期、非同期を検出する同期検出部と、
該同期検出部における非同期検出が複数回連続した場合に非同期と判定する状態判定部と、
受信した無線データに含まれる送信電力制御情報を抽出する送信電力制御情報抽出部と、
該状態判定部により非同期と判定した場合に、該非同期と判定するに至った連続した非同期の検出のうち最初の非同期の検出時における送信電力値を該状態判定部により非同期と判定した後の送信電力値として用いる制御部とをそなえて構成されたことを特徴とする、電力制御回路。
【請求項４】
無線データから同期／非同期をフレーム毎に検出する同期検出部と、
該同期検出部にてフレーム毎に検出された同期／非同期に基づいて同期／非同期を判定する同期／非同期判定部と、
該無線データに含まれる送信電力制御情報を抽出する送信電力制御情報抽出部と、
該無線データから所定数のパイロットデータを所定数のスロット毎に抽出し誤りに関する演算情報を出力する演算部と、
該演算部から出力された演算情報に基づいて送信電力制御の実施／不実施を判定する実施／不実施判定部と、
該実施／不実施判定部の判定結果に基づいて該送信電力制御情報抽出部にて抽出された送信電力制御情報を用いた送信電力制御の実施／不実施を選択しうる選択部とをそなえて構成されたことを特徴とする、電力制御回路。
【請求項５】
該演算部が、
スロット数に基づいて移動演算をし演算情報を出力するように構成されたことを特徴とする、請求項４記載の電力制御回路。
【請求項６】
該制御部が、
無線の同期確立を表す同期確立状態と無線の同期はずれを表す非同期状態と該同期確立状態および該非同期状態の中間の過渡状態との各状態に基づいて送信電力制御の実施／不実施を制御するように構成されたことを特徴とする、請求項１〜請求項５のいずれか一項記載の電力制御回路。
【請求項７】
情報データを含む第１無線信号を所望の送信電力値にて送信しうる送信部と、
該送信部の送信電力値を制御する電力制御回路とをそなえ、
該電力制御回路が、
無線通信する相手無線装置が送信した情報データと送信電力制御情報とを含む第２無線信号に起因する無線データから同期／非同期をフレーム毎に検出する同期検出部と、
該同期検出部のフレーム毎の検出結果に基づいて同期／非同期を判定する同期／非同期判定部と、
該同期検出部のフレーム毎の検出結果に基づいて送信電力制御の実施／不実施を判定する実施／不実施判定部と、
該無線データに含まれる送信電力制御情報を抽出する送信電力制御情報抽出部と、
該実施／不実施判定部の判定結果に基づいて該送信電力制御情報抽出部にて抽出された送信電力制御情報を用いた送信電力制御の実施／不実施を選択しうる選択部とをそなえて構成されたことを特徴とする、無線送信装置。
【請求項８】
情報データを含む第１無線信号を所望の送信電力値にて送信しうる送信部と、
該送信部の送信電力値を制御する電力制御回路とをそなえ、
該電力制御回路が、
無線通信する相手無線装置が送信した情報データを含む第２無線信号に起因する無線データに含まれる送信電力制御情報を抽出する送信電力制御情報抽出部と、
該送信電力制御情報抽出部にて抽出された送信電力制御情報に基づいて送信電力制御の実施／不実施を判定する送信電力制御情報判定部と、
該送信電力制御情報判定部の判定結果と該判定結果に対応付けられた送信電力値データとに基づいて送信電力制御の実施／不実施を選択しうる選択部とをそなえて構成されたことを特徴とする、無線送信装置。
【請求項９】
情報データを含む第１無線信号を所望の送信電力値にて送信しうる送信部と、
該送信部の送信電力値を制御する電力制御回路とをそなえ、
該電力制御回路が、
無線通信する相手無線装置が送信した情報データと送信電力制御情報とを含む第２無線信号に起因する無線データから同期／非同期をフレーム毎に検出する同期検出部と、
該同期検出部にてフレーム毎に検出された同期／非同期に基づいて同期／非同期を判定する同期／非同期判定部と、
該無線データに含まれる送信電力制御情報を抽出する送信電力制御情報抽出部と、
該同期／非同期判定部が非同期と判定した場合は非同期と判定した以前の送信電力値を送信電力値として設定する制御部とをそなえて構成されたことを特徴とする、無線送信装置。
【請求項１０】
情報データを含む第１無線信号を所望の送信電力値にて送信しうる送信部と、
該送信部の送信電力値を制御する電力制御回路とをそなえ、
該電力制御回路が、
無線通信する相手無線装置が送信した情報データと送信電力制御情報とを含む第２無線信号に起因する無線データから同期／非同期をフレーム毎に検出する同期検出部と、
該同期検出部にてフレーム毎に検出された同期／非同期に基づいて同期／非同期を判定する同期／非同期判定部と、
該無線データに含まれる送信電力制御情報を抽出する送信電力制御情報抽出部と、
該無線データから所定数のパイロットデータを所定数のスロット毎に抽出し誤りに関する演算情報を出力する演算部と、
該演算部から出力された演算情報に基づいて送信電力制御の実施／不実施を判定する実施／不実施判定部と、
該実施／不実施判定部の判定結果に基づいて該送信電力制御情報抽出部にて抽出された送信電力制御情報を用いた送信電力制御の実施／不実施を選択しうる選択部とをそなえて構成されたことを特徴とする、無線送信装置。
【請求項１１】
受信した送信電力制御情報に基づいて送信電力制御を行なう無線送信装置において、
同一の内容の送信電力制御情報の連続受信回数に応じて送信電力制御値を変化させる制御部をそなえて構成されたことを特徴とする、無線送信装置。
【手続補正２】
【補正対象書類名】明細書
【補正対象項目名】００１６
【補正方法】変更
【補正の内容】
【００１６】
【課題を解決するための手段】
このため、本発明の電力制御回路は、受信した無線データに基づいて同期、非同期を検出する同期検出部と、同期検出部における非同期検出が複数回連続した場合に非同期と判定する状態判定部と、受信した無線データに含まれる送信電力制御情報を抽出する送信電力制御情報抽出部と、前記同期検出部における同期、非同期の検出結果に応じて前記抽出された送信電力制御情報に基づく送信電力制御の実施、不実施を制御する制御部とをそなえて構成されたことを特徴としている（請求項１）。
【手続補正３】
【補正対象書類名】明細書
【補正対象項目名】００１７
【補正方法】変更
【補正の内容】
【００１７】
また、本発明の電力制御回路は、受信した無線データに基づいて同期、非同期を検出する同期検出部と、同期検出部における非同期検出がＴ1回連続した場合に非同期と判定する状態判定部と、受信した無線データに含まれる送信電力制御情報を抽出する送信電力制御情報抽出部と、前記同期検出部における非同期の検出がＴ2（１≦Ｔ2＜Ｔl）となった場合に、前記抽出された送信電力制御情報に基づく送信電力制御を行なわないように制御する制御部とをそなえて構成されたことを特徴としている（請求項２）。
【手続補正４】
【補正対象書類名】明細書
【補正対象項目名】００１８
【補正方法】変更
【補正の内容】
【００１８】
さらに、本発明の電力制御回路は、受信した無線データに基づいて同期、非同期を検出する同期検出部と、同期検出部における非同期検出が複数回連続した場合に非同期と判定する状態判定部と、受信した無線データに含まれる送信電力制御情報を抽出する送信電力制御情報抽出部と、状態判定部により非同期と判定した場合に、非同期と判定するに至った連続した非同期の検出のうち最初の非同期の検出時における送信電力値を状態判定部により非同期と判定した後の送信電力値として用いる制御部とをそなえて構成されたことを特徴としている（請求項３）。
【手続補正５】
【補正対象書類名】明細書
【補正対象項目名】００２４
【補正方法】変更
【補正の内容】
【００２４】
そして、本発明の無線送信装置は、情報データを含む第１無線信号を所望の送信電力値にて送信しうる送信部と、送信部の送信電力値を制御する電力制御回路とをそなえ、この電力制御回路が、無線通信する相手無線装置が送信した情報データと送信電力制御情報とを含む第２無線信号に起因する無線データから同期／非同期をフレーム毎に検出する同期検出部と、同期検出部にてフレーム毎に検出された同期／非同期に基づいて同期／非同期を判定する同期／非同期判定部と、無線データに含まれる送信電力制御情報を抽出する送信電力制御情報抽出部と、無線データから所定数のパイロットデータを所定数のスロット毎に抽出し誤りに関する演算情報を出力する演算部と、演算部から出力された演算情報に基づいて送信電力制御の実施／不実施を判定する実施／不実施判定部と、実施／不実施判定部の判定結果に基づいて送信電力制御情報抽出部にて抽出された送信電力制御情報を用いた送信電力制御の実施／不実施を選択しうる選択部とをそなえて構成されたことを特徴としている（請求項１０）。
また、本発明の無線送信装置は、受信した送信電力制御情報に基づいて送信電力制御を行なう無線送信装置において、同一の内容の送信電力制御情報の連続受信回数に応じて送信電力制御値を変化させる制御部をそなえて構成されたことを特徴としている（請求項１１）。
【手続補正６】
【補正対象書類名】明細書
【補正対象項目名】０１３６
【補正方法】変更
【補正の内容】
【０１３６】
さらに、本発明は、セルラ移動通信システム１００のほかに、Ｗ−ＣＤＭＡ方式の例えば室内における無線システムに適用できる。
（Ｅ）付記
（付記１）  受信した無線データに基づいて同期、非同期を検出する同期検出部と、
該同期検出部における非同期検出が複数回連続した場合に非同期と判定する状態判定部と、
受信した無線データに含まれる送信電力制御情報を抽出する送信電力制御情報抽出部と、
前記同期検出部における同期、非同期の検出結果に応じて前記抽出された送信電力制御情報に基づく送信電力制御の実施、不実施を制御する制御部とをそなえて構成されたことを特徴とする、電力制御回路。
【手続補正７】
【補正対象書類名】明細書
【補正対象項目名】０１３７
【補正方法】変更
【補正の内容】
【０１３７】
（付記２）  受信した無線データに基づいて同期、非同期を検出する同期検出部と、
該同期検出部における非同期検出がＴ1回連続した場合に非同期と判定する状態判定部と、
受信した無線データに含まれる送信電力制御情報を抽出する送信電力制御情報抽出部と、
前記同期検出部における非同期の検出がＴ2（１≦Ｔ2＜Ｔl）となった場合に、前記抽出された送信電力制御情報に基づく送信電力制御を行なわないように制御する制御部とをそなえて構成されたことを特徴とする、電力制御回路。
【手続補正８】
【補正対象書類名】明細書
【補正対象項目名】０１３８
【補正方法】変更
【補正の内容】
【０１３８】
（付記３）  受信した無線データに基づいて同期、非同期を検出する同期検出部と、
該同期検出部における非同期検出が複数回連続した場合に非同期と判定する状態判定部と、
受信した無線データに含まれる送信電力制御情報を抽出する送信電力制御情報抽出部と、
該状態判定部により非同期と判定した場合に、該非同期と判定するに至った連続した非同期の検出のうち最初の非同期の検出時における送信電力値を該状態判定部により非同期と判定した後の送信電力値として用いる制御部とをそなえて構成されたことを特徴とする、電力制御回路。
【手続補正９】
【補正対象書類名】明細書
【補正対象項目名】０１４６
【補正方法】変更
【補正の内容】
【０１４６】
（付記１３）  情報データを含む第１無線信号を所望の送信電力値にて送信しうる送信部と、
該送信部の送信電力値を制御する電力制御回路とをそなえ、
該電力制御回路が、
無線通信する相手無線装置が送信した情報データと送信電力制御情報とを含む第２無線信号に起因する無線データから同期／非同期をフレーム毎に検出する同期検出部と、
該同期検出部にてフレーム毎に検出された同期／非同期に基づいて同期／非同期を判定する同期／非同期判定部と、
該無線データに含まれる送信電力制御情報を抽出する送信電力制御情報抽出部と、
該無線データから所定数のパイロットデータを所定数のスロット毎に抽出し誤りに関する演算情報を出力する演算部と、
該演算部から出力された演算情報に基づいて送信電力制御の実施／不実施を判定する実施／不実施判定部と、
該実施／不実施判定部の判定結果に基づいて該送信電力制御情報抽出部にて抽出された送信電力制御情報を用いた送信電力制御の実施／不実施を選択しうる選択部とをそなえて構成されたことを特徴とする、無線送信装置。
（付記１４）
受信した送信電力制御情報に基づいて送信電力制御を行なう無線送信装置において、
同一の内容の送信電力制御情報の連続受信回数に応じて送信電力制御値を変化させる制御部をそなえて構成されたことを特徴とする、無線送信装置。
【手続補正１０】
【補正対象書類名】明細書
【補正対象項目名】０１４７
【補正方法】変更
【補正の内容】
【０１４７】
【発明の効果】
以上詳述したように、本発明の電力制御回路（請求項１〜６）および無線送信装置（請求項７〜１１）によれば、以下に述べるような効果ないしは利点がある。
（１）本発明の電力制御回路によれば、受信した無線データに基づいて同期、非同期を検出する同期検出部と、同期検出部における非同期検出が複数回連続した場合に非同期と判定する状態判定部と、受信した無線データに含まれる送信電力制御情報を抽出する送信電力制御情報抽出部と、前記同期検出部における同期、非同期の検出結果に応じて前記抽出された送信電力制御情報に基づく送信電力制御の実施、不実施を制御する制御部とをそなえて構成されているので、同期確立しているときに、ＴＰＣに従う場合とそうでない場合とのそれぞれに応じて電力制御ができ、細かな電力制御ができる（請求項１）。
【手続補正１１】
【補正対象書類名】明細書
【補正対象項目名】０１４８
【補正方法】変更
【補正の内容】
【０１４８】
（２）本発明の電力制御回路によれば、受信した無線データに基づいて同期、非同期を検出する同期検出部と、同期検出部における非同期検出がＴ1回連続した場合に非同期と判定する状態判定部と、受信した無線データに含まれる送信電力制御情報を抽出する送信電力制御情報抽出部と、前記同期検出部における非同期の検出がＴ2（１≦Ｔ2＜Ｔl）となった場合に、前記抽出された送信電力制御情報に基づく送信電力制御を行なわないように制御する制御部とをそなえて構成されているので、精度の高い電力制御が可能となり、また、送信電力制御の高速化が図れる（請求項２）。
【手続補正１２】
【補正対象書類名】明細書
【補正対象項目名】０１４９
【補正方法】変更
【補正の内容】
【０１４９】
（３）本発明の電力制御回路によれば、受信した無線データに基づいて同期、非同期を検出する同期検出部と、同期検出部における非同期検出が複数回連続した場合に非同期と判定する状態判定部と、受信した無線データに含まれる送信電力制御情報を抽出する送信電力制御情報抽出部と、状態判定部により非同期と判定した場合に、非同期と判定するに至った連続した非同期の検出のうち最初の非同期の検出時における送信電力値を状態判定部により非同期と判定した後の送信電力値として用いる制御部とをそなえて構成されているので、信頼性の低い状況下における値が用いられず、良好な品質を維持できる。また、システム同期が確立する前に電力制御が先行して開始され必要かつ十分な値の電力値で送信できる（請求項３）。
【手続補正１３】
【補正対象書類名】明細書
【補正対象項目名】０１５９
【補正方法】変更
【補正の内容】
【０１５９】
（１３）同期／非同期判定部が、所定の閾値として、前方保護または後方保護のための保護カウンタを用いるように構成されてもよく、このようにすれば、既存の回路をそのまま使用することができ、また、より安定な品質を確保できる。
（１４）さらに、本発明の無線送信装置によれば、受信した送信電力制御情報に基づいて送信電力制御を行なう無線送信装置において、同一の内容の送信電力制御情報の連続受信回数に応じて送信電力制御値を変化させる制御部をそなえて構成されているので、より安定な品質を確保でき、チャネル干渉量の増加を防止することができる（請求項１１）。